(57)【要約】【課題】部品点数を少なくし、部品の磨耗や脱落の発生するおそれをなくすこと。【解決手段】選別された硬貨を一時貯留する硬貨一時貯留部１と、硬貨一時貯留部１の下方に設けられ、硬貨一時貯留部１に貯留した硬貨を落下させて収納する硬貨収納部３とを有し、硬貨一時貯留部１は、前後左右に設けられた側面板１−１、１−２等と、側面板が左右方向に移動することをガイドする一時貯留ガイド４とからなり、前記一時貯留ガイド４のガイド底面部５−１と側面板１−１、１−２の淵の間は第１の入れ子構造９が形成され、更に、硬貨収納部３の上部の淵と一時貯留ガイド４のガイド側面部６の間は第２の入れ子構造２３が形成されることにより、硬貨収納部３を容易に引き出す。【選択図】    図1
2014021951.tif 000002
【特許請求の範囲】
【請求項１】
硬貨を一時貯留する硬貨一時貯留部と、
前記硬貨一時貯留部の下方に設けられ、前記硬貨一時貯留部に貯留した前記硬貨を落下させて収納する硬貨収納部と、
前記硬貨一時貯留部と前記硬貨収納部の間に設けられ、前記硬貨一時貯留部をガイドする一時貯留ガイドとを有し、
当該一時貯留ガイドに複数の突起を設け、
前記一時貯留ガイドの前記突起と対応して入れ子構造を形成するように、前記硬貨収納部の上部に複数の突起を設けたことを特徴とする硬貨処理装置。
【請求項２】
前記突起は、矩形であることを特徴とする請求項１記載の硬貨処理装置。
【請求項３】
前記突起は、角形であることを特徴とする請求項１記載の硬貨処理装置。
【請求項４】
前記突起は、半円形であることを特徴とする請求項１記載の硬貨処理装置。
【請求項５】
硬貨を一時貯留する硬貨一時貯留部と、
前記硬貨一時貯留部の下方に設けられ、前記硬貨一時貯留部に貯留した前記硬貨を落下させて収納する硬貨収納部と、
前記硬貨一時貯留部と前記硬貨収納部の間に設けられ、前記硬貨一時貯留部をガイドする一時貯留ガイドとを有し、
前記一時貯留ガイドと前記硬貨収納部との隙間に開閉可能な閉塞板が形成されることを特徴とする硬貨処理装置。
【発明の詳細な説明】
【技術分野】
【０００１】
本発明は回収された硬貨を金種別に選別して収納する硬貨処理装置に関する。
【背景技術】
【０００２】
従来、硬貨処理装置として以下のものがある。即ち、係員が入金する硬貨を硬貨投入口に投入すると、投入された硬貨が１枚ずつ分離されて鑑別部に搬送され、鑑別部で硬貨の金種等の鑑別及び計数が行われた後、硬貨一時貯留部に金種別に集積されて一時貯留される。そして計数された金額が表示部に表示され、利用者が入金の承認を行うと、硬貨一時貯留部に一時貯留されている硬貨が金種別に硬貨収納部に収納される。
【０００３】
一般に、硬貨処理装置の搬送路は、硬貨が搬送路外に飛び出さないように搬送路の継ぎ目にできる隙間を、一円硬貨の大きさよりも小さくしている。しかし、ジャム除去等の保守操作が必要な部位では、干渉を防止するため逆に隙間を広げておく必要がある。この場合、硬貨が隙間から飛び出すのを防止する手段としては、毛の束やスポンジ等の柔軟な部品による隙間を埋める構造にすることがある。
【０００４】
硬貨処理装置には前記硬貨一時貯留部及び前記硬貨収納部があるが、この硬貨収納部は引出可能になっているため、硬貨一時貯留部との受渡部に隙間ができる。従来は、この隙間を埋めるために毛の束やスポンジ等の柔軟な部品による隙間を埋める構造にしている。
【０００５】
図８乃至図１０により従来の硬貨一時貯留部及び硬貨収納部の概要を説明する。図８は従来の硬貨貯留部を示す正面図であり、図９は従来の硬貨貯留部を示すＡ−Ａ断面図であり、図１０は従来の一時貯留ガイドを示す斜視図である。硬貨一時貯留部５１は、左右の側面板５１−１、５１−２及び前後の側面板５１−３、５１−４によって６個の区画に分かれている。硬貨一時貯留部５１は、一時貯留ガイド５４に設けられたガイド底面部５５−１の上部に左右移動可能に設けられ、選別された硬貨を金種別に収納可能となっている。
【０００６】
一時貯留ガイド５４はガイド底面部５５−１と、ガイド側面部５６によって構成される。ガイド側面部５６は、図１０に示すように一時貯留ガイド５４の周囲を壁状に構成し、中央にガイド底面部５５−１とその両側にガイド底部孔５５−２、５５−３が形成される。ガイド底面部５５−１は、左右の側面板５１−１、５１−２及び前後の側面板５１−３、５１−４とともに硬貨を一時貯留する。
【０００７】
硬貨は一時貯留ガイド５４のガイド底面部５５−１上に集積され、利用者が入金の承認を行うと、硬貨一時貯留部５１は矢印Ｃ方向に移動する。これによって、硬貨を掻き落し、ガイド底部孔５５−２を介して矢印Ｆのように硬貨収納部５３へ落下させる。また、利用者が入金の不承認を行うと、硬貨一時貯留部５１は矢印Ｄ方向に移動する。これによって、硬貨を掻き落し、ガイド底部孔５５−３を介して矢印Ｇのように返却部５２へ落下させる。
【０００８】
ここで、硬貨の一時貯留の際、硬貨が硬貨一時貯留部５１から飛び出さないようにするため、左右の側面板５１−１、５１−２及びガイド底面部５５−１には入れ子構造部５９が形成されている。即ち、入れ子構造部５９は、ガイド底面部５５−１に上部波型部５８が形成され、右の側面板５１−２の淵に上部波型部５８に適合する下部波型部５７が形成されることにより構成される。入れ子構造部５９は、左右の側面板５１−１及び５１−２ともに同様な構造である。
【０００９】
また、硬貨を落下させる際、硬貨が跳ね返って別のエリアに飛び出さないようにするため、一時貯留ガイド５４にはガイド側面５６が設けてある。一方、硬貨収納部５３は、複数の硬貨収納部５３が一体として矢印Ｅ方向に引出可能である。従って、硬貨収納部５３を引き出す際に、硬貨一時貯留部５１及び一時貯留ガイド５４と干渉し操作性が悪化するのを防ぐ必要がある。そのため当該硬貨収納部５３と硬貨一時貯留部５１には隙間６３が形成してある。これに対し、隙間６３から硬貨が飛び出すことを防ぐため、左右方向には閉塞板６０−１、６０−２による入れ子構造を形成し、更に前後方向には毛の束やスポンジ等の柔軟な閉塞部材６１により隙間６３を埋めていた。その方法は、閉塞部材６１を、両面テープ又は接着剤により硬貨収納部５３の上部又はガイド側面５６の下部に接着するという方法により行っていた。
【００１０】
なお、特開２００８−２９９５４４号公報（特許文献１）は、現金処理装置の稼働率を向上させることを課題とするものである。特許文献１によれば、リジェクト硬貨を集積して取引単位で袋詰めする技術について記載されている。
【先行技術文献】
【特許文献】
【００１１】
【特許文献１】特開２００８−２９９５４４号公報
【発明の概要】
【発明が解決しようとする課題】
【００１２】
しかしながら、従来の技術によれば、硬貨一時貯留部５１が６個に分かれているので、隙間６３ごとに部品としての閉塞板６０−１、６０−２及び閉塞部材６１で埋める必要があるため、部品点数が多くなりコストアップの要因となるという問題があった。更に、隙間６３を確実に埋めるため、硬貨収納部５３と接触するように毛の束やスポンジ等の柔軟な閉塞部材６１を配置する必要があり、硬貨収納部５３の引出時に、部品としての閉塞部材６１の磨耗や脱落が発生するという問題があった。
【００１３】
本発明が解決しようとする課題は、部品点数を少なくしコスト低減を図るとともに、部品の磨耗や脱落の発生するおそれのない硬貨処理装置を提供することを可能とするものである。
【課題を解決するための手段】
【００１４】
上記課題を解決するために本発明に関する硬貨処理装置は、硬貨を一時貯留する硬貨一時貯留部と、前記硬貨一時貯留部の下方に設けられ、前記硬貨一時貯留部に貯留した前記硬貨を落下させて収納する硬貨収納部と、前記硬貨一時貯留部と前記硬貨収納部の間に設けられ、前記硬貨一時貯留部をガイドする一時貯留ガイドとを有し、当該一時貯留ガイドに複数の突起を設け、前記一時貯留ガイドの前記突起と対応して入れ子構造を形成するように、前記硬貨収納部の上部に複数の突起を設けたことを特徴とするものである。
【発明の効果】
【００１５】
上記構成を有する本発明によれば、硬貨収納部と一時貯留ガイドのガイド側面部との間は、隙間をなくし入れ子構造にしたので、部品点数を少なくしコスト低減を図るとともに、硬貨収納部の引き出しの際に、部品の磨耗や脱落の発生するおそれのない硬貨処理装置を提供することを可能とするものである。同時に、両者の間に隙間がなくなるので、ガイド底部孔を落下した硬貨が跳ね返って別のエリアに飛び出すことを防ぐことができる。
【図面の簡単な説明】
【００１６】
【図１】第１の実施の形態に関する硬貨貯留部を示す正面図である。
【図２】第１の実施の形態に関する硬貨処理装置の概略構成を示す説明図である。
【図３】第１の実施の形態に関する硬貨貯留部のＢ−Ｂ断面図である。
【図４】第１の実施の形態に関する一時貯留ガイドを示す斜視図である。
【図５】第１の実施の形態に関する変形例１を示す正面図である。
【図６】第１の実施の形態に関する変形例２を示す正面図である。
【図７】第２の実施の形態に関する硬貨貯留部を示す説明図である。
【図８】従来の硬貨貯留部を示す正面図である。
【図９】従来の硬貨貯留部を示すＡ−Ａ断面図である。
【図１０】従来の一時貯留ガイドを示す斜視図である。
【発明を実施するための形態】
【００１７】
（第１の実施の形態）
以下、本発明の第１の実施の形態について説明する。図２は第１の実施の形態に関する硬貨処理装置の概略構成を示す説明図である。硬貨処理装置１００は、銀行等の金融機関の現金センタに設置され、現金自動預払機等から回収された現金の入金処理を行うために使用される現金処理装置のうち、硬貨の入金処理を行う。
【００１８】
投入口１１は、例えば係員が釣銭機等から回収した硬貨を一括して投入して使用する。繰出部１２は投入口１１の下方に配置され、投入口１１から送られた硬貨を図示しない回転円盤上に集積し、これを一枚毎に分離して繰り出す。鑑別部１３は、繰出部１２により一枚毎に繰り出された硬貨について真偽、正損、金種等の各種の鑑別、計数を行う。リジェクト庫１４は、鑑別部１３により、変形、汚れ等により金種不明と鑑別され、又は異常と鑑別されたリジェクト硬貨を集積する。搬送路１５は、鑑別部１３で正常と鑑別された硬貨について搬送し、金種別に設けられた硬貨一時貯留部１へ向けて振り分ける。
【００１９】
硬貨一時貯留部１は取り扱う硬貨の金種毎に設けられ、鑑別部１３及び搬送路１５により選別された硬貨について一時的に貯留する。なお、本実施例では、取り扱う金種を６金種とし、６個の硬貨一時貯留部１を設けている。鑑別部１３により計数された金額が図示しない表示部に表示され、利用者が入金の承認を行うと、硬貨一時貯留部１に一時貯留されている硬貨が金種別の硬貨収納部３に収納される。利用者が入金の不承認を行うときは、硬貨一時貯留部１に一時貯留されている硬貨は返却箱２に収納される。なお、硬貨の出金に際しては、出金繰出部１６が硬貨収納部３から出金硬貨を繰り出し、出金箱１７へ送る。また、硬貨の回収は、回収一時庫１８に一時収納した後、回収庫１９−１及び回収返却箱１９−２を使って行われる。
【００２０】
図１は第１の実施の形態に関する硬貨貯留部を示す正面図である。硬貨一時貯留部１は左右の側面板１−１、１−２及び後述する前後の側面板１−３、１−４によって分けられている。硬貨一時貯留部１は、一時貯留ガイド４に設けられたガイド底面部５−１の上部に設けられ、前記搬送路１５からの硬貨を金種別に収納可能とする。一時貯留ガイド４は、左右の側面板１−１、１−２及び前後の側面板１−３、１−４が後述するように左右方向に移動することをガイドする。硬貨一時貯留部１は、矢印Ｃ及び矢印Ｄに示すように、図示しない駆動手段により、一時貯留ガイド４上を左右移動可能に設けられる。硬貨一時貯留部１の底面は前記ガイド底面部５−１のみであり、硬貨一時貯留部１が矢印Ｃ及び矢印Ｄ方向に移動することにより、ガイド底面部５−１を外れると、硬貨は矢印Ｆ又は矢印Ｇ方向に落下する。
【００２１】
硬貨収納部３及び返却部２は、硬貨一時貯留部１の下方に設けられる。具体的には、硬貨収納部３は、後述するガイド底部孔５−２の下方に設けられ、返却部２はガイド底部孔５−３の下方に設けられる。これにより矢印Ｆ又は矢印Ｇ方向に落下した硬貨は硬貨収納部３又は返却部２に収納される。なお、本実施の形態に関する入れ子構造部２３については、図４において説明する。
【００２２】
図３は第１の実施の形態に関する硬貨貯留部のＢ−Ｂ断面図である。硬貨一時貯留部１は、左右の側面板１−１、１−２及び前後の側面板１−３、１−４によって６個の区画に分かれている。６個の硬貨一時貯留部１は、前記矢印Ｃ及び矢印Ｄに示す方向に、図示しない駆動手段により、一体として移動する。硬貨は一時貯留ガイド４のガイド底面部５−１上に集積される。硬貨収納部３も硬貨一時貯留部１の下に６個設けられている。
【００２３】
図４は第１の実施の形態に関する一時貯留ガイドを示す斜視図である。一時貯留ガイド４はガイド底面部５−１と、ガイド側面部６によって構成される。ガイド側面部６は、図示のように一時貯留ガイド４の周囲を壁状に構成し、中央にガイド底面部５−１とその両側にガイド底部孔５−２、５−３が形成されるように構成する。ガイド底面部５−１は、硬貨一時貯留部１の左右の側面板１−１、１−２及び前後の側面板１−３、１−４とともに硬貨を一時貯留するボックス状となす。ガイド底面部５−１は、左右の側面板１−１、１−２及び前後の側面板１−３、１−４によって形成される底面領域１０をカバーする広さである。
【００２４】
硬貨は一時貯留ガイド４のガイド底面部５−１上の底面領域１０に集積され、利用者が入金の承認を行うと、６個の硬貨一時貯留部１は矢印Ｃ方向に一体として移動する。これによって、底面領域１０に集積された硬貨を左の側面板１−１が掻き落し、ガイド底部孔５−２を介して矢印Ｆのように落下させ硬貨収納部３へ収納させる。また、利用者が入金の不承認を行うと、６個の硬貨一時貯留部１は矢印Ｄ方向に一体として移動する。これによって、底面領域１０に集積された硬貨を右の側面板１−２が掻き落し、ガイド底部孔５−３を介して矢印Ｇのように落下させ返却部２へ収納させる。
【００２５】
ここで、硬貨の一時貯留の際、硬貨が硬貨一時貯留部１から飛び出さないようにするため、かつ硬貨の掻き落しが完全に行われるようにするため左右の側面板１−１、１−２及びガイド底面部５−１には第１の入れ子構造部９が形成されている。即ち、第１の入れ子構造部９は、ガイド底面部５−１に複数の角形の上部波型部８が形成され、右の側面板１−２の淵には、上部波型部８に適合する複数の台形の下部波型部７が形成されることにより構成される。入れ子構造部９は、左右の側面板１−１及び１−２ともに同様な構造である。
【００２６】
また、ガイド底部孔５−２を矢印Ｆ方向に硬貨を落下させる際、硬貨が跳ね返って別のエリアに飛び出さないようにするため、一時貯留ガイド４にはガイド側面６が設けてある。一方、硬貨収納部３は複数の硬貨収納部３が一体として前後方向としての矢印Ｅ方向に引出可能である。従って、硬貨収納部３を引き出す際に、硬貨一時貯留部１及び一時貯留ガイド４と干渉し、操作性が悪化するのを防ぐ必要がある。
【００２７】
本実施の形態では硬貨収納部３の上部の淵と、一時貯留ガイド４のガイド側面部６を第２の入れ子構造部２３としたものである。即ち、第２の入れ子構造部２３は、硬貨収納部３の上部の淵に複数の矩形の突起を並べた上部波型２２が形成され、ガイド側面部６には、上部波型２２に適合する同じく複数の矩形の突起を並べた下部波型部２１が形成される。また、第２の入れ子構造部２３は、下部波型部２１と上部波型部２２とで出来る間隔が、取り扱う硬貨の幅よりも小さくなるように設けられる。入れ子構造部２３は、矢印Ｅ方向における下流側のガイド側面部６についても同様に構成される。これによって、硬貨が跳ね返って別のエリアに飛び出すのを防止することができる。
【００２８】
以上、本実施の形態によれば、硬貨収納部３の上部の淵と、一時貯留ガイド４のガイド側面部６を入れ子構造部２３としたので、前後方向としての矢印Ｅ方向に硬貨収納部３を引き出す際に、一時貯留ガイド４のガイド側面部６との干渉を防ぎ、操作性を向上することができる。また、両者の間に硬貨が飛び出すことのできる隙間がなくなるので、ガイド底部孔５−２を矢印Ｆ方向に落下した硬貨が跳ね返って別のエリアに飛び出すことを防ぐことができる。
【００２９】
（第１の実施の形態の変形例１）
図５は第１の実施の形態に関する変形例１を示す正面図である。変形例１は、入れ子構造部３３が、硬貨収納部３の上部の淵に複数の三角形の上部波型３２が形成され、ガイド側面部６には、上部波型３２に適合する同じく複数の三角形の下部波型部３１が形成されることにより構成される。これにより第１の実施の形態と同様の効果を有する。
【００３０】
（第１の実施の形態の変形例２）
図６は第１の実施の形態に関する変形例２を示す正面図である。変形例２は、入れ子構造部４３が、硬貨収納部３の上部の淵に複数の半円形の上部波型４２が形成され、ガイド側面部６には、上部波型４２に適合する同じく複数の半円形の下部波型部４１が形成されることにより構成される。これにより第１の実施の形態と同様の効果を有する。
【００３１】
（第２の実施の形態）
次に、本発明の第２の実施の形態について説明する。図７は第２の実施の形態に関する硬貨貯留部を示す説明図である。前記第１の実施の形態が、硬貨収納部３の上部の淵と、一時貯留ガイド４のガイド側面部６を入れ子構造部２３としたものであるが、第２の実施の形態は、硬貨収納部３の上部の淵と、一時貯留ガイド４のガイド側面部６の間に回転可能に閉塞板４４を設けたものである。その他の構成は第１の実施の形態の構成と同様であるので説明を省略する。
【００３２】
閉塞板４４は、硬貨収納部３の上部の淵と、一時貯留ガイド４のガイド側面部６の間を埋めるように配置されている。閉塞板４４は、ガイド側面部６と重なるように配置されているが、ガイド側面部６との干渉を回避するように回転可能に配置されている。閉塞板４４は回転支点４５を中心に回転可能に支持され、利用者がリンクバー４６を前後方向としての矢印Ｅ方向に引くことにより、閉塞板４４は矢印Ｈ方向に回転する。こうして、利用者が硬貨収納部３を矢印Ｅ方向に引き出す際に、閉塞板４４はガイド側面部６と干渉することはない。
【００３３】
第２の実施の形態によれば、ガイド側面部６との干渉を回避するように回転可能に閉塞板４４を配置したので、矢印Ｅ方向に硬貨収納部３を引き出す際に、一時貯留ガイド４のガイド側面部６との干渉を防ぎ、操作性を向上することができる。また、両者の間に隙間がなくなるので、ガイド底部孔５−２を矢印Ｆ方向に落下した硬貨が跳ね返って別のエリアに飛び出すことを防ぐことができる。
【符号の説明】
【００３４】
１                  硬貨一時貯留部
２                  返却部
３                  硬貨収納部
４                  一時貯留ガイド
５−１              ガイド底面部
５−２、５−３      ガイド底部孔
６                  ガイド側面部
９                  入れ子構造部
２３                入れ子構造部
１００              硬貨処理装置
【図１】
2014021951.tif 000003
【図２】
2014021951.tif 000004
【図３】
2014021951.tif 000005
【図４】
2014021951.tif 000006
【図５】
2014021951.tif 000007
【図６】
2014021951.tif 000008
【図７】
2014021951.tif 000009
【図８】
2014021951.tif 000010
【図９】
2014021951.tif 000011
【図１０】
2014021951.tif 000012